(57)【要約】【課題】高出力の光源を用いたスポットライトや長時間連続使用するフラッドライトなどにおいて、着色フィルタの溶融を防止すると共に照射面での色むらのない適正な調色を行える照明装置を提供する。【解決手段】熱線は反射器を透過して後方ヘ除去され、前方へ反射される可視光線ｂのうち、強調されるべき色成分の波長ｃのみが着色フィルタ１０を通過しそれ以外の波長ｄは干渉フィルタ１２で除去されるので、吸収エネルギーを大幅に低減して着色フィルタ１０の溶融を防止し、着色フィルタ１０により適正な発色が得られる。【選択図】  図４
2004317909.tif 000002
【特許請求の範囲】
【請求項１】
所望の着色がなされた合成樹脂製の着色フィルタと、該着色フィルタを交換自在に保持するフィルタホルダからなる演出空間用照明装置のカラーフィルタであって、
前記フィルタホルダの光源側の面に、所定波長の可視光線を選択的に透過させる干渉フィルタを取り付けてなり、
前記干渉フィルタが、前記着色フィルタで強調されるべき色成分の波長の可視光線のみを透過し、それ以外の波長の可視光線を反射するよう形成されている演出空間用照明装置に用いるカラーフィルタ。
【請求項２】
所望の着色がなされた合成樹脂製着色フィルタの光源側の面に、所定波長の可視光線を選択的に透過させる干渉フィルタを積層形成してなる演出空間用カラーフィルタであって、
前記干渉フィルタが、前記着色フィルタで強調されるべき色成分の波長の可視光線のみを透過し、それ以外の波長の可視光線を反射するよう形成されている演出空間用照明装置に用いるカラーフィルタ。
【請求項３】
前記着色フィルタが青，緑などの寒色調の着色を施したものであって、前記干渉フィルタの短波長側は透過特性、長波長側は反射特性として、可視光線の透過、反射の境界が５５０〜７２０ｎｍの範囲内になるよう形成したことを特徴とする請求項１又は請求項２記載の演出空間用照明装置に用いるカラーフィルタ。
【請求項４】
前記干渉フィルタが、６００ｎｍを超える可視光線を含む波長を反射し、６００ｎｍ以下の波長の可視光線のみを透過するよう形成されていることを特徴とする請求項３記載の演出空間用照明装置に用いるカラーフィルタ。
【請求項５】
前記着色フィルタが赤，橙などの暖色調の着色を施したものであって、前記干渉フィルタの短波長側は反射特性、長波長側は透過特性として、可視光線の反射、透過の境界が５００〜５５０ｎｍの範囲内になるよう形成したことを特徴とする請求項１又は２記載の演出空間用照明装置に用いるカラーフィルタ。
【請求項６】
前記干渉フィルタが、５２０ｎｍ未満の可視光線を含む波長を反射し、５２０ｎｍ以上の波長の可視光線のみを透過するよう形成されていることを特徴とする請求項５記載の演出空間用照明装置に用いるカラーフィルタ。
【請求項７】
請求項１から６の何れか１項記載のカラーフィルタを交換自在に装着してなる演出空間用照明装置。
【請求項８】
灯体内に、少なくとも光源と反射器を収めると共に、該反射器の前方に請求項１から６の何れか１項記載のカラーフィルタを交換自在に装着してなる演出空間用照明装置であって、前記反射器が、前記光源が発する光のうち熱線を透過させて、可視光線のみを前記カラーフィルタに向けて反射するよう形成されている演出空間用照明装置。
【発明の詳細な説明】
【０００１】
【発明の属する技術分野】
本発明は、劇場舞台、ＴＶスタジオなどの演出空間で使用されるスポットライト、フラッドライトなどの演出空間用照明装置と、その照明装置に用いるカラーフィルタの改良に関する。
【０００２】
【従来の技術】
従来、この種照明装置に用いるカラーフィルタとして、ポリエステル、ポリカーボネート、ポリエチレンテレフタレートなどの合成樹脂製のフィルムに所望の着色を施した着色フィルタをフィルタホルダで交換自在に保持してなり、該フィルタホルダを灯体の前面開口部に着脱自在に装着して使用するものが知られている。
【０００３】
しかしながら、前記したような合成樹脂フィルムからなる着色フィルタは、光源から発するエネルギーを直接受けるため溶融する虞れがあり、特に高出力の光源を用いたり長時間連続して使用される照明装置ではこのような現象が顕著になるという問題があった。
【０００４】
このような問題を解消するために、例えば特許文献１には、合成樹脂材に難燃材を含有して着色フィルタを形成することが記載されているが、このような着色フィルタを、高出力になるスポットライトや、連続して長時間使用されるフラッドライトに用いた場合、溶融の虞れが解消されるとは言い難く、さらなる改良が望まれていた。
【０００５】
【特許文献１】
特開平６−３２８６４２号公報
【０００６】
【発明が解決しようとする課題】
上記問題点を解消するために本願出願人は、光源が発する光のうち熱線を透過させ可視光線のみを前方へ向けて反射するようダイクロイックコーティングされた反射器を用いることで、着色フィルタが受ける高熱影響を低減し得ると推測して研究を進めた処、熱線の除去のみでは着色フィルタの溶融が防止できないことを知見した。
【０００７】
本願出願人はさらに、可視光線に含まれる光エネルギーが着色フィルタの焼損に対して大きく影響すること、青，緑などの寒色調、赤，橙などの暖色調などの着色フィルタ色調と電球の分光強度分布から、着色フィルタで吸収されるエネルギーが各色調に影響を与える波長範囲が異なること、特に濃い色調においては可視光線に含まれるエネルギーの吸収が大きいことを突き止めた。
【０００８】
一方、エネルギー吸収を起こさない干渉フィルタだけを用いて所望の色調を再現しようとした場合には、該干渉フィルタの中心部と周辺部の光路長の違いにより、照射面において色むらが生じるため、所望の色調が得られないという問題がある。
【０００９】
【発明が解決しようとする課題】
本発明は上述したような従来事情に鑑みてなされたもので、その目的とする処は、高出力の光源を用いたり長時間連続して使用される照明装置において、着色フィルタが吸収するエネルギーを低減して着色フィルタの溶融を防止し、且つ照射面において色むらが生じることなく所望の発色を得ることができる新規なカラーフィルタと、そのカラーフィルタを装着した照明装置を提供することにある。
【００１０】
【課題を解決するための手段】
以上の目的を達成するために本願第一発明は、所望の着色がなされた合成樹脂製の着色フィルタと、該着色フィルタを交換自在に保持するフィルタホルダからなる演出空間用照明装置のカラーフィルタであって、
前記フィルタホルダの光源側の面に、所定波長の可視光線を選択的に透過させる干渉フィルタを取り付けてなり、
前記干渉フィルタが、前記着色フィルタで強調されるべき色成分の波長の可視光線のみを透過し、それ以外の波長の可視光線を反射するよう形成されていることを特徴とする。
【００１１】
このような構成によれば、光源から発せられる可視光線のうち、着色フィルタで強調されるべき色成分の波長のみが着色フィルタを通過し、それ以外の波長の可視光線は干渉フィルタで反射され除去される。よって、着色フィルタを通過する光は、着色フィルタで強調されるべき色成分の波長のみに選択されるので、着色フィルタが吸収するエネルギーを大幅に低減して、光源が高出力であったり長時間連続使用される場合でも、着色フィルタの溶融を防止し、着色フィルタにより所望の発色を得ることができる。
また、着色フィルタと干渉フィルタがワンセットになるので、着色フィルタの各色毎に干渉フィルタを選択する必要が少なくなり、カラーフィルタ使用時の取り扱いが容易になる。
さらに、着色フィルタをフィルタホルダで交換自在に保持するので、永年の使用により着色フィルタが劣化した場合、干渉フィルタはそのまま使用し、着色フィルタのみ交換することで対応が可能になる。
【００１２】
本願第二発明は、所望の着色がなされた合成樹脂製着色フィルタの光源側の面に、所定波長の可視光線を選択的に透過させる干渉フィルタを積層形成してなる演出空間用カラーフィルタであって、
前記干渉フィルタが、前記着色フィルタで強調されるべき色成分の波長の可視光線のみを透過し、それ以外の波長の可視光線を反射するよう形成されていることを特徴とする。
【００１３】
このような構成によれば、第一発明と同様に、光源から発せられる可視光線のうち、着色フィルタで強調されるべき色成分の波長のみが着色フィルタを通過し、それ以外の波長の可視光線は干渉フィルタで反射され除去される。よって、着色フィルタを通過する光は、着色フィルタで強調されるべき色成分の波長のみに選択されるので、着色フィルタが吸収するエネルギーを大幅に低減して、光源が高出力であったり長時間連続使用される場合でも、着色フィルタの溶融を防止し、着色フィルタにより所望の発色を得ることができる。
また、着色フィルタと干渉フィルタがワンセットになるので、着色フィルタの各色毎に干渉フィルタを選択する必要がなくなり、カラーフィルタ使用時の取り扱いが容易になる。
【００１４】
本願第三発明は、前記第一発明または第二発明において、前記着色フィルタが青，緑などの寒色調の着色を施したものであって、前記干渉フィルタの短波長側は透過特性、長波長側は反射特性として、可視光線の透過、反射の境界が５５０〜７２０ｎｍの範囲内になるよう形成したことを特徴とする。
【００１５】
このような構成によれば、寒色調の着色フィルタで強調されるべき色成分の波長のみが該着色フィルタを通過し、それ以外の波長の可視光線は干渉フィルタで反射され除去される。すなわち、前記着色フィルタを通過する光は、該着色フィルタで強調されるべき色成分の波長のみに選択されるので、寒色調の着色フィルタが吸収するエネルギーを大幅に低減して、光源が高出力であったり長時間連続使用される場合でも、寒色調の着色フィルタの溶融を防止し、所望の寒色調発色を得ることができる。
【００１６】
本願第四発明は、前記着色フィルタが青，緑などの寒色調の着色を施したものである場合、前記干渉フィルタを、６００ｎｍを超える可視光線を含む波長を反射し、６００ｎｍ以下の波長の可視光線のみを透過するよう形成したことを特徴とする。
【００１７】
干渉フィルタをこのように形成した場合、青，緑などの寒色調の着色を施した着色フィルタに幅広く対応でき、各色毎に干渉フィルタを選択する必要がなくなるので、カラーフィルタ使用時の取り扱いが極めて容易になる。
【００１８】
本願第五発明は、前記第一発明または第二発明において、前記着色フィルタが赤，橙などの暖色調の着色を施したものであって、前記干渉フィルタの短波長側は反射特性、長波長側は透過特性として、可視光線の反射、透過の境界が５００〜５５０ｎｍの範囲内になるよう形成したことを特徴とする。
【００１９】
このような構成によれば、暖色調の着色フィルタで強調されるべき色成分の波長のみが該着色フィルタを通過し、それ以外の波長の可視光線は干渉フィルタで反射され除去される。すなわち、前記着色フィルタを通過する光は、該着色フィルタで強調されるべき色成分の波長のみに選択されるので、暖色調の着色フィルタが吸収するエネルギーを大幅に低減して、光源が高出力であったり長時間連続使用される場合でも、暖色調の着色フィルタの溶融を防止し、所望の暖色調発色を得ることができる。
【００２０】
本願第六発明は、前記着色フィルタが赤，橙などの暖色調の着色を施したものである場合、前記干渉フィルタを、５２０ｎｍ未満の可視光線を含む波長を反射し、５２０ｎｍ以上の波長の可視光線のみを透過するよう形成したことを特徴とする。
【００２１】
干渉フィルタをこのように形成した場合、赤，橙などの暖色調の着色を施した着色フィルタに幅広く対応でき、各色毎に干渉フィルタを選択する必要がなくなるので、カラーフィルタ使用時の取り扱いが極めて容易になる。
【００２２】
本願第七発明は、前記第一発明から第六発明の何れかのカラーフィルタを交換自在に装着してなる演出空間用照明装置である。
このような構成によれば、前記第一発明から第六発明の効果が得られるスポットライト、フラッドライト等の演出空間用照明装置を提供することができる。
【００２３】
本願第八発明は、灯体内に、少なくとも光源と反射器を収めると共に、該反射器の前方に、本願第一発明から第六発明の何れかのカラーフィルタを交換自在に装着してなる演出空間用照明装置であって、前記反射器が、前記光源が発する光のうち熱線を透過させて、ほぼ可視光線のみを前記カラーフィルタに向けて反射するよう形成されていることを特徴とする。
このような構成によれば、光源から発せられる光のうち、熱線の大部分は反射器を透過して後方ヘ除去され、可視光線のみが反射器により反射されて前方へ送られ、さらにその可視光線のうち、着色フィルタで強調されるべき色成分の波長のみが着色フィルタを通過し、それ以外の波長の可視光線は干渉フィルタで反射され除去される。よって、着色フィルタを通過する光は、着色フィルタで強調されるべき色成分の波長の可視光線に選択されるので、着色フィルタが吸収するエネルギーをさらに大幅に低減して、光源が高出力であったり長時間連続使用される場合でも、着色フィルタの溶融をより確実に防止し、着色フィルタにより所望の発色を得ることができる。
【００２４】
【発明の実施の形態】
以下、本発明に係る照明装置の実施形態の一例を図面を参照しながら説明する。
図１，図２に示す照明装置は、劇場舞台、ＴＶスタジオなどの演出空間で使用されるスポットライトＡであって、該スポットライトＡは、長筒状に形成された灯体１内に、少なくとも光源２、反射器３、アパーチャ板４、レンズ５を所定箇所に配設すると共に、灯体１の前面開口部に設けたフィルタ保持部６にカラーフィルタ７を着脱自在に装着し、光源２が発する光を、アパーチャ板４の透口８、レンズ５、カラーフィルタ７を通過させて、所望の発色の光を照射するようになっている。
【００２５】
灯体１の内部後方に配設されている反射器３は、反射面にダイクロイック処理を施して、光源２が発する光ａのうち、熱線を透過させ可視光線ｂのみを前方へ向けて反射するよう形成されている。
【００２６】
灯体１の前面開口部に装着されるカラーフィルタ７は、図３，図４に示すように、所望の着色がなされた合成樹脂製の着色フィルタ１０と、この着色フィルタ１０を挟持する前後の保持板１１ａ，１１ｂの側縁を回動自在に枢着１１ｃして着色フィルタ１０を交換自在に保持すると共に各保持板１１ａ，１１ｂに透口１１ｄを開設したフィルタホルダ１１と、所定波長の可視光線ｃを選択的に透過させる干渉フィルタ１２から形成されている。
【００２７】
着色フィルタ１０は、難燃性と透明性が高い合成樹脂、例えばポリエステル、ポリカーボネートなどの合成樹脂製のフィルムに所望の着色を施したもので、青、赤、橙、黄などの各種の着色が施された複数の着色フィルタ１０が予め用意され、任意の色の着色フィルタ１０を選択して使用するようになっている。
【００２８】
干渉フィルタ１２は、屈折率の高い層（例えば、酸化チタン（ＴｉＯ２）の層）と屈折率の低い層（例えば、酸化ケイ素（ＳｉＯ２）の層）とを交互に積層し、且つその積層数を任意に選択して、着色フィルタ１０で強調されるべき色成分の波長の可視光線ｃのみを透過し、それ以外の波長の可視光線ｄを反射するよう形成されている。
【００２９】
またこの干渉フィルタ１２は、フィルタホルダ１１の光源側の面、本例では、後側の保持板１１ａの外面側に接着などの手段で一体に取り付けられている。
【００３０】
このような構成になる本例のスポットライトＡによれば、光源２から発せられる光ａのうち、熱線の大部分は反射器３を透過して後方ヘ除去され、可視光線ｂのみが反射器３により反射されて前方へ送られ、さらにその可視光線ｂのうち、着色フィルタ１０で強調されるべき色成分の波長の可視光線ｃのみが干渉フィルタ１２を通過し、それ以外の波長の可視光線ｄは干渉フィルタ１２で反射され除去される。
【００３１】
よって、着色フィルタ１０を通過する可視光線ｃ’は、該着色フィルタ１０で強調されるべき色成分の波長のみに選択されるので、着色フィルタ１０が吸収するエネルギーは大幅に低減される。
従って、光源２が高出力であったり長時間連続使用される場合でも、着色フィルタ１０の溶融を防止すると共に、着色フィルタ１０による適正な発色の光ｃ’を得ることができる。
【００３２】
また、干渉フィルタ１２をフィルタホルダ１１に取り付け、該フィルタホルダ１１により着色フィルタ１０を保持するので、着色フィルタ１０と干渉フィルタ１２がワンセットになり、各色の着色フィルタ１０毎に干渉フィルタ１２を選択する必要が少なくなる。さらに、永年の使用に伴い着色フィルタ１０が劣化した場合、干渉フィルタ１２はそのままにして、着色フィルタ１０のみを交換すれば良い。
【００３３】
上記したカラーフィルタ７は、図５に示すような構成とすることもできる。
すなわち、このカラーフィルタ７’は、前記干渉フィルタ１２を前記着色フィルタ１０の光源側の面に積層して形成されている。
【００３４】
このようなカラーフィルタ７’を、前記スポットライトＡのフィルタ保持部６に着脱自在に保持した場合、前記スポットライトＡによる効果に加え、着色フィルタ１０に対し干渉フィルタ１２が一体に積層されているので、種々の着色が施された着色フィルタ１０毎に適切な干渉フィルタ１２を選択する作業が不要になり、演出空間の照明現場におけるカラーフィルタ７’の取り扱いが容易になるという効果がある。
【００３５】
前述したように前記干渉フィルタ１２は、交互に積層される高屈折率層と低屈折率層の積層数を着色フィルタ１０の色ごとに選択して、その着色フィルタ１０で強調されるべき色成分の波長の可視光線ｃのみを透過し、それ以外の波長の可視光線ｄを反射するよう形成されているが、青，緑系の寒色調の着色（例えば、この種技術分野において周知の「カラーフィルタ見本帳」における色番号がＮｏ．５２〜Ｎｏ．８７までの青，緑系の着色）が施された各着色フィルタ１０を用いる場合、干渉フィルタ１２による透過、反射の境界は、５５０〜７２０ｎｍの範囲内になる。
また、６００ｎｍ以下の波長の可視光線ｃのみを透過し、６００ｎｍを超える波長の可視光線ｄを反射するよう形成した干渉フィルタ１２−１を用いた場合、青，緑系の寒色調の着色（例えば、前記「カラーフィルタ見本帳」における色番号がＮｏ．５２〜Ｎｏ．８７までの青，緑系の着色）が施された各着色フィルタ１０に共通して使用することができ、寒色調の着色フィルタ１０毎に適切な干渉フィルタ１２を選択する作業が不要になり、演出空間の照明現場におけるカラーフィルタ７の取り扱いが容易になるという効果がある。
【００３６】
また、赤，橙系の暖色調の着色（例えば、前記「カラーフィルタ見本帳」における色番号がＮｏ．２２〜Ｎｏ．３５までの赤，橙系の着色）が施された各着色フィルタ１０を用いる場合、干渉フィルタ１２による透過、反射の境界は、５００〜５５０ｎｍの範囲内になる。
また、５２０ｎｍ以上の波長の可視光線ｃのみを透過し、５２０ｎｍ未満の波長の可視光線ｄを反射するよう形成した干渉フィルタ１２−２を用いた場合、赤，橙系の暖色調の着色（例えば、前記「カラーフィルタ見本帳」における色番号がＮｏ．２２〜Ｎｏ．３５までの赤，橙系の着色）が施された各着色フィルタ１０に共通して使用することができ、暖色調の着色フィルタ１０毎に適切な干渉フィルタ１２を選択する作業が不要になり、演出空間の照明現場におけるカラーフィルタ７の取り扱いが容易になるという効果がある。
【００３７】
【実施例】
以下、本発明に係るカラーフィルタを装着した照明装置を用いて行った着色フィルタの溶融試験について説明する。
【００３８】
本発明の実施品として、上述したスポットライトＡの光源２に一般的なハロゲン電球を用いると共に、前記フィルタ保持部６に前記カラーフィルタ７を装着し、該カラーフィルタ７において前記寒色調用の干渉フィルタ１２−１を用い、且つ着色フィルタ１０が濃い緑（前記した色番号Ｎｏ．５２）のものを実施例１とした。同様に、着色フィルタ１０が濃い青（前記した色番号Ｎｏ．７２）のものを実施例２とした。さらに、前記カラーフィルタ７において前記暖色調用の干渉フィルタ１２−２を用い、且つ着色フィルタ１０が濃い赤（前記した色番号Ｎｏ．２２）のものを実施例３とした。
【００３９】
一方、比較例として、上述したスポットライトＡの光源２に一般的なハロゲン電球を用いると共に、前記フィルタ保持部６には、前記フィルタホルダ１１で着色フィルタ１０を交換自在に保持するが、干渉フィルタ１２は備えない従来のカラーフィルタを装着し、その着色フィルタ１０が濃い緑（色番号Ｎｏ．５２）のものを比較例１とし、濃い青（色番号Ｎｏ．７２）のものを比較例２とし、濃い赤（色番号Ｎｏ．２２）のものを比較例３とした。
【００４０】
これら実施例１から３、比較例１から３に用いるハロゲン電球の放射特性を測定したところ、図６に示すように、約２５０ｎｍ〜２５００ｎｍまで幅広い相対強度を有するものであったが、この電球を光源２として前記した反射器３を用いた場合の放射特性を測定したところ、図７に示すように、熱線が大幅に除去された、ほぼ可視光線ｂのみのものとなった。
【００４１】
また、各実施例１〜３、比較例１〜３に用いる着色フィルタ１０の分光透過率を測定したところ、濃い緑（色番号Ｎｏ．５２）のものは図８に、濃い青（色番号Ｎｏ．７２）のものは図９に、濃い赤（色番号Ｎｏ．２２）のものは図１０に示すような特性を示した。
【００４２】
そうして、実施例１，２のスポットライトでは、濃い緑（色番号Ｎｏ．５２）又は濃い青（色番号Ｎｏ．７２）の着色フィルタ１０の光源側に寒色調用の干渉フィルタ１２−１が位置し、該干渉フィルタ１２−１により、６００ｎｍを超える波長の可視光線ｄが除去されるので、その干渉フィルタ１２を通過する光の分光強度特性は、図１１に示すように、前記した濃い緑又は濃い青の着色フィルタ１０で強調されるべき色成分の波長の可視光線ｃのみとなることが確認された。
この実施例１，２について、光源２を３０分以上点灯させて着色フィルタ１０の状態を観察したところ、該着色フィルタ１０に溶融は見られず、且つ照射面において着色フィルタ１０による適正な発色（濃い青，濃い緑）を得ることができた。
【００４３】
また、実施例３のスポットライトでは、濃い赤（色番号Ｎｏ．２２）の着色フィルタ１０の光源側に暖色調用の干渉フィルタ１２−２が近接して位置し、該干渉フィルタ１２−２により、５２０ｎｍ未満の波長の可視光線ｄが除去されるので、その干渉フィルタ１２を通過する光の分光強度特性は、図１２に示すように、前記した濃い赤の着色フィルタ１０で強調されるべき色成分の波長の可視光線ｃのみとなることが確認された。
この実施例３について、光源２を３０分以上点灯させて着色フィルタ１０の状態を観察したところ、該着色フィルタ１０に溶融は見られず、且つ照射面において着色フィルタ１０による適正な発色（濃い赤）を得ることができた。
【００４４】
これに対し、比較例１，２のスポットライトでは、図７に示す放射特性の光、すなわち、この例で強調されるべき色成分の波長（６００ｎｍ以下）の可視光線ｃと、６００ｎｍを超える波長の可視光線ｄとが、濃い緑（色番号Ｎｏ．５２）又は濃い青（色番号Ｎｏ．７２）の着色フィルタ１０を通過するので、該着色フィルタ１０が吸収するエネルギーが多くなることが確認された。
この比較例１，２について、光源２を点灯させて着色フィルタ１０の状態を観察したところ、該着色フィルタ１０の中心部分が１分以内に溶融して穴が空き、実用不可能であることが確認された。
【００４５】
また、比較例３のスポットライトでも、図７に示す放射特性の光、すなわち、この例で強調されるべき色成分の波長（５２０ｎｍ以上）の可視光線ｃと、５２０ｎｍ未満の波長の可視光線ｄとが、濃い赤（色番号Ｎｏ．２２）の着色フィルタ１０を通過するので、該着色フィルタ１０が吸収するエネルギーが多くなることが確認された。
この比較例３について、光源２を点灯させて着色フィルタ１０の状態を観察したところ、該着色フィルタ１０の中心部分が１分以内に溶融して穴が空き、実用不可能であることが確認された。
【００４６】
以上、本発明に係る演出空間用照明装置の実施形態の一例を図面を参照して説明したが、本発明は図示例に限定されるものではなく、特許請求の範囲に記載された技術的思想の範疇において、演出空間用として用いられる各種のスポットライトやフラッドライト、その他の照明装置に適用可能であることは言うまでもない。
【００４７】
【発明の効果】
本発明に係る演出空間用照明装置は以上説明したように構成したので、以下に記載されるような効果を有する。
【００４８】
（請求項１）
着色フィルタを通過する光を、該着色フィルタで強調されるべき色成分の波長の可視光線のみに選択し、該着色フィルタが吸収するエネルギーを大幅に低減して、着色フィルタの溶融を防止すると共に、着色フィルタにより所望の色調を得ることができる。
したがって、光源が高出力であるスポットライトや長時間連続して使用されるフラッドライトに好適に採用でき、また着色フィルタを頻繁に交換することなく長期間使用し得るので作業性、経済性が向上し、且つ永年の使用により着色フィルタが劣化した場合は容易に交換し得るなど、多くの効果を奏する。
【００４９】
（請求項２）
着色フィルタを通過する光を、該着色フィルタで強調されるべき色成分の波長の可視光線のみに選択し、該着色フィルタが吸収するエネルギーを大幅に低減して、着色フィルタの溶融を防止すると共に、着色フィルタにより所望の色調を得ることができる。
したがって、光源が高出力であるスポットライトや長時間連続して使用されるフラッドライトに好適に採用でき、また着色フィルタを頻繁に交換することなく長期間使用し得るので作業性、経済性が向上するなど、多くの効果を奏する。
【００５０】
（請求項３）
青，緑などの寒色調の着色フィルタを用いる場合に、前述の効果を確実に得ることができる。
【００５１】
（請求項４）
青，緑などの寒色調の着色フィルタに幅広く対応でき、各色毎に干渉フィルタを選択する必要がなくなるので、カラーフィルタ使用時の取り扱いが極めて容易になるなどの効果がある。
【００５２】
（請求項５）
赤，橙などの暖色調の着色フィルタを用いる場合に、前述の効果を確実に得ることができる。
【００５３】
（請求項６）
赤，橙などの暖色調の着色フィルタに幅広く対応でき、各色毎に干渉フィルタを選択する必要がなくなるので、カラーフィルタ使用時の取り扱いが極めて容易になるなどの効果がある。
【００５４】
（請求項７）
前述の効果を奏する新規な演出空間用照明装置を提供することができる。
【００５５】
（請求項８）
光源から発せられる光のうち熱線の大部分を除去するので、着色フィルタが吸収するエネルギーをさらに大幅に低減して、前述の効果をより実効あるものとし得る。
【図面の簡単な説明】
【図１】本発明に係る演出空間用照明装置の実施形態の一例を示す斜視図。
【図２】図１に示すカラーフィルタの拡大斜視図で、着色フィルタの装着状態を表す。
【図３】図１の縦断側面図。
【図４】図３の要部拡大図。
【図５】カラーフィルタの変更例を示す縦断側面図。
【図６】電球の放射特性を表すグラフ。
【図７】反射器により熱線を除去した場合の放射特性を表すグラフ。
【図８】濃い緑（色番号Ｎｏ．５２）の着色フィルタの分光透過率を表すグラフ。
【図９】濃い青（色番号Ｎｏ．７２）の着色フィルタの分光透過率を表すグラフ。
【図１０】濃い赤（色番号Ｎｏ．２２）の着色フィルタの分光透過率を表すグラフ。
【図１１】寒色調用の干渉フィルタ使用時の分光強度特性を表すグラフ。
【図１２】暖色調用の干渉フィルタ使用時の分光強度特性を表すグラフ。
【符号の説明】
Ａ：スポットライト（演出空間用照明装置）
１：灯体
２：光源
３：反射器
７：カラーフィルタ
１０：着色フィルタ
１１：フィルタホルダ
１２：干渉フィルタ
【図１】
2004317909.tif 000003
【図２】
2004317909.tif 000004
【図３】
2004317909.tif 000005
【図４】
2004317909.tif 000006
【図５】
2004317909.tif 000007
【図６】
2004317909.tif 000008
【図７】
2004317909.tif 000009
【図８】
2004317909.tif 000010
【図９】
2004317909.tif 000011
【図１０】
2004317909.tif 000012
【図１１】
2004317909.tif 000013
【図１２】
2004317909.tif 000014